(57)【要約】  本発明は、靴上部分（２）と、靴上部分（２）に連結される靴底（３）とを含む靴（１）、特に運動靴に関する。この場合、靴上部分（２）は外面（４）および内面（５）を含み、内面（５）は該靴の着用者の足に面する。本発明による軽量設計によって靴上部分の弾性を最小限に抑えるために、靴上部分（２）の内面（５）に隆起構造（６）が少なくとも部分的に設けられており、該構造は、内面（５）上に配置されるいくつかの連続した閉じた隆起部（７）を含む。【選択図】図１
2017521127.tif 000002
【特許請求の範囲】
【請求項１】
靴（１）、特に運動靴であって、
靴上部分（２）と、
前記靴上部分（２）に連結される靴底（３）と、を含み、
前記靴上部分（２）は外面（４）および内面（５）を含み、前記内面（５）は前記靴の着用者の足に面しており、
前記靴上部分（２）の前記内面（５）に隆起構造（６）が少なくとも部分的に設けられており、該構造は、前記内面（５）上に配置されるいくつかの連続した閉じた隆起部（７）を含むことを特徴とする、靴（１）。
【請求項２】
前記連続した閉じた隆起部（７）は多角形状を有することを特徴とする、請求項１に記載の靴。
【請求項３】
前記連続した閉じた隆起部（７）は三角形、四角形、五角形、または六角形の形状を有することを特徴とする、請求項２に記載の靴。
【請求項４】
前記連続した閉じた隆起部（７）はプラスチック材料から成ることを特徴とする、請求項１〜３のうちいずれか一項に記載の靴。
【請求項５】
前記連続した閉じた隆起部（７）は射出成形プロセスまたは鋳造プロセスによって前記靴上部分（２）の材料上に射出されるか施されることを特徴とする、請求項４に記載の靴。
【請求項６】
前記連続した閉じた隆起部（７）は、５ｍｍ〜２０ｍｍである、前記内面（５）にある最大拡張部（Ｅ）を含むことを特徴とする、請求項１〜５のうちのいずれか一項に記載の靴。
【請求項７】
前記内面（５）に垂直の、前記連続した閉じた隆起部（７）の高さ（Ｈ）は、０．５ｍｍ〜１．５ｍｍであることを特徴とする、請求項１〜６のうちいずれか一項に記載の靴。
【請求項８】
前記内面（５）は、前記連続した閉じた隆起部（７）に取り囲まれる領域の内部において被覆剤（８）を備えることを特徴とする、請求項１〜７のうちいずれか一項に記載の靴。
【請求項９】
前記被覆剤（８）はある間隙（９）によって前記連続した隆起部（７）から分離されることを特徴とする、請求項８に記載の靴。
【請求項１０】
前記間隙（９）は０．２５ｍｍ〜０．７５ｍｍであることを特徴とする、請求項９に記載の靴。
【請求項１１】
前記内面（５）に垂直の前記被覆剤（８）の高さ（ｈ）は、前記連続した閉じた隆起部（７）の前記高さ（Ｈ）より低いことを特徴とする、請求項８〜１０のうちいずれか一項に記載の靴。
【請求項１２】
前記内面（５）に垂直のる前記被覆剤（８）の前記高さ（ｈ）は０．２ｍｍ〜０．５ｍｍであることを特徴とする、請求項１１に記載の靴。
【請求項１３】
前記靴上部分（２）は舌革（１０）を含み、前記舌革（１０）の内側には隆起構造（６）が少なくとも部分的に設けられることを特徴とする、請求項１〜１２のうちいずれか一項に記載の靴。
【請求項１４】
前記靴底（３）にはその内側に隆起構造（６）が設けられ、隣接する連続した隆起部（７）の前記隆起部（７）は互いに連結されるのが好ましく、前記隆起構造（６）にはいずれの他の靴底要素もない、特に中底がないことを特徴とする、請求項１〜１２のうちいずれか一項に記載の靴。
【請求項１５】
サッカー靴であることを特徴とする、請求項１〜１４のうちいずれか一項に記載の靴。
【発明の詳細な説明】
【技術分野】
【０００１】
本発明は、靴上部分と、当該靴上部分に連結される靴底を含む靴、特に運動靴に関する。この場合、靴上部分は外面および内面を含み、内面は靴の着用者の足に面する。
【背景技術】
【０００２】
一般的な種類の靴では、材料の使用を最小限に抑えることによって安定した靴を設計するための複数の実施形態が既に知られている。材料の使用を最小限に抑えることによって、靴の製作費が低くなるだけでなく、通常目的とされる軽量の靴がもたらされる。
【０００３】
特にサッカー用靴について、ボールの感覚が最適化されるように、すなわち、プレーヤがボールの接触をより良く触知できるものとするように該靴を設計することが目的とされる。既知の解決策は、この点に関して満足のいくものであるとは限らない。さらにまた、靴上部分の材料の弾性が不必要に高いといった悪影響をもたらすことがある。実際に、このことは、靴上部分の材料の高密度および厚さそれぞれを適切に持たせた設計によって満たすことができるが、この場合、靴の重量に悪い影響がもたらされるだけでなく、この場合靴の吸水能が高くなって悪影響がもたらされることが多い。
【発明の概要】
【発明が解決しようとする課題】
【０００４】
よって、本発明の目的は、サッカー靴の場合、良好なボール感覚が与えられるようにする一般的な種類の靴をさらに開発することである。さらに、靴上部分の材料の弾性は軽量靴設計では低いものでなければならない。最終的に、該靴の吸水能は低くされることが目的とされる。
【課題を解決するための手段】
【０００５】
本発明によるこの目的の解決策は、靴上部分の内面に隆起構造が少なくとも部分的に設けられることを特徴とする。該構造は、内面上に配置されるいくつかの連続した閉じた隆起部を含む。
【０００６】
連続した閉じた隆起部は、好ましくは多角形状を有し、ここでは特に、三角形、四角形、五角形、または六角形の形状が考慮される。しかしながら、連続した閉じた隆起部はまた、円形にすることもできる。
【０００７】
連続した閉じた隆起部はプラスチック材料から成るのが好ましい。この場合、連続した閉じた隆起部が射出成形プロセスまたは鋳造プロセスによって靴上部分の材料上に射出されるか施される。
【０００８】
従って、射出成形プロセスの代わりに、鋳造プロセスも考慮できる。この場合、可塑化プラスチック材料（例えばポリウレタン）が鋳型に流し込まれる。その後、余分な材料の除去および拭き取りがそれぞれ行われる。靴上部分の材料（例えば、皮革、またはさらには、合成皮革、メッシュもしくは織物材料のような別の材料）は、鋳型上に置かれ、次いで、まだ液状のプラスチック隆起部が上平板によって底板上に押し付けられる。それによって、液状のプラスチック材料は、靴上部分の材料の表面に浸透し、硬化後、靴上部分と隆起構造との間に所望の合成物が生じる。
【０００９】
連続した閉じた隆起部は、好ましくは、５ｍｍ〜２０ｍｍである、内面にある最大拡張部を含む（よって下記では、多角形構造の対角線およびその直径それぞれであると理解されるものとする）。
【００１０】
内面に垂直の連続した閉じた隆起部の高さは、好ましくは０．５ｍｍ〜１．５ｍｍである。
【００１１】
連続した閉じた隆起部に取り囲まれる領域の内部における内面は、被覆剤による本発明のさらなる開発に従ってもたらされ得る。それに関して、被覆剤は連続した隆起部の材料から成るのが好ましい。該被覆剤はそれについて、ある間隙によって連続した隆起部から分離でき、該間隙はこの場合、０．２５ｍｍ〜０．７５ｍｍであるのが好ましい。内面に垂直の被覆剤の高さは、連続した閉じた隆起部の高さより低いのが好ましく、０．２ｍｍ〜０．５ｍｍであるのが好ましい。しかしながら、被覆剤は連続した隆起部と同じ高さを有することもでき、このことは、被覆剤が補強として使用されなければならない場合に有益である。
【００１２】
靴上部分は舌革を含むこともでき、舌革の内側にはまた、隆起構造が少なくとも部分的に設けられる。
【００１３】
該靴の靴底には、その内側に隆起構造を設けることもでき、隣接する連続した隆起部の隆起部は、この場合互いに連結されるのが好ましい。隆起構造には、この場合、いずれの他の靴底要素もない、特に、中底および中敷きそれぞれがないのが好ましい。
【００１４】
これに関連して、この種類の靴底、すなわち、（上側に受けられる）隆起構造がその靴底の内面上に配置され、かつ、隆起構造が靴の着用者の足裏の直接的な接触面積を形成するような靴底要素が使用される時、有益であることが見出された。該着用者は、通常実際はそれぞれ靴下を着用することになるが、その後該靴下でその隆起構造上に直接立つことになる。これによって、ボールに対する良好な感覚が可能となる。隆起構造は足の形状に該靴底の上側で人間工学的に適応される。
【００１５】
当該靴は好ましくはサッカー靴である。ゴルフスポーツの分野でも、該靴は有益に使用できる。
【００１６】
隆起構造は、断面が矩形である壁を有するのが好ましい。このことは述べられた被覆剤にも該当する。
【００１７】
それに関して、さらなる開発として、靴の外底がその底部側で少なくとも１つのクリート形突出部を含むようにすることができる。
【００１８】
好ましくは、靴上部分の少なくとも内側には靴の前半分において述べられた隆起構造が設けられる。しかしながら、靴上部分の後半分には隆起構造が完全には設けられていないのが有益である可能性がある。特に、かかと領域には隆起構造がないままなのが好ましい。
【００１９】
「上」および「底」それぞれの用語が使用される限りでは、これは、意図してかつその理由に基づいて使用される時には靴の位置に関する。
【００２０】
よって、提案された解決策は、靴上部分がその内側において、隆起状に設計された、好ましくは多角形の（特に六角形の）構造を含むことを特徴とする。該解決策は、靴の舌革の内側に対して設けられ得る。加えて、靴底も内側においてこのような隆起状構造を含むことができ、そしてこの場合、好ましくは、隆起状構造上には中底はないようにされる。正しくは、靴の使用者、特にサッカープレーヤーは、自身の靴下のみが該隆起部に接触するものとする。
【００２１】
このような設計では、改善されたボールに対する感覚および地面に対する感覚を得ることができ、すなわち、ボールへの接触がより良く感じられ得ることが有益である。それに関して、該設計は、選択的に、靴上部分における、および好ましくはまた舌革における、フォーム構造およびライニングそれぞれなしで行われる。
【００２２】
連続した（特に多角形の）隆起構造は、靴上部分からの弾性（および伸びそれぞれ）を有益には排除するが、ライニングによる既知の解決策の場合、材料の伸びが比較的大きくなるという悪影響がもたらされる。
【００２３】
さらに、提案された設計では、吸水する能力は従来の靴より有益には低くなる。
【００２４】
図面において、本発明の一実施形態が示される。
【図面の簡単な説明】
【００２５】
【図１】靴を側面視で概略的に示す図である。
【図１ａ】靴のある領域の拡大部分としての図１による細部「Ｘ」の断面図である。
【図２】靴上部分の内面の一部分の、図１による「Ｙ」を示す図である。
【図３】靴上部分の一区分を通した図２による区分Ａ−Ｂの断面図である。
【発明を実施するための形態】
【００２６】
図１において、靴上部分２および靴底３を含む靴１を見ることができる。それに関して、靴上部分２および靴底３は互いにしっかりと連結される。靴上部分は外面４および内面５を有し、内面５はひいては靴の着用者の足に面している。
【００２７】
図の概要において、靴上部分２の内面５において、隆起構造６が配置されているのを見ることができる。内面５は、内面５において配置される複数の連続した閉じた隆起部７を有する。
【００２８】
図２から見ることができるように、隆起構造６は、示される実施形態において六角形状を有する、すなわち、隆起部７は内面５に対して垂直に見られる六角形に設計されている。しかしながら、これは必須ではなく、これはまた内面５の一区分に対してのみ設けられ得ることは述べられるべきである。
【００２９】
内面５において利用可能な空間によっては、他の形状、特に、三角形、四角形、および五角形の隆起部も設けることができる。
【００３０】
好ましくは、場合によっては、靴上部分の内側が隆起部によって完全に寄木細工状になるように、種々の形状の隆起構造が配置される。
【００３１】
また、内面５は部分的に隆起構造６が設けられないようにすることができる。
【００３２】
同様に、靴１の舌革１０は内側において述べられた隆起構造６を備える。
【００３３】
図２および図３において好ましい実施形態が示される。それに応じて、連続した閉じた隆起部７の内部に靴上部分２の基材の被覆剤８が存在するようにされる。被覆剤８は、図３による区分Ａ−Ｂにおいて示されるように、隆起部７からの間隙９を維持する。しかしながら、特に舌革１０に対して設けることができる該被覆剤は、この間隙なしで施すこともできる。
【００３４】
選択された領域においてのみ被覆剤８が使用され、かつ、内面の他の領域では空の隆起構造が使用されることも可能である。
【００３５】
図２および図３において、隆起構造６および隆起部７それぞれの大きさに関してさらに明記される。
【００３６】
それに応じて、図２に見られるように、連続した閉じた隆起部７が、５ｍｍ〜２０ｍｍである、内面５における最大拡張部Ｅを含むようにされる。
【００３７】
内面５に垂直の連続した閉じた隆起部７の高さＨは、図３から見ることができるように、０．５ｍｍ〜１．５ｍｍである。
【００３８】
間隙９は、大部分が０．２５ｍｍ〜０．７５ｍｍの寸法ｔ（間隙の幅）を有する。
【００３９】
被覆剤８の高さｈは、連続した閉じた隆起部７の高さＨより低く、好ましくは０．２ｍｍ〜０．５ｍｍである。
【００４０】
図３ではまた、好ましくは０．５ｍｍ〜１．５ｍｍの隆起部の幅ｂが示される。
【００４１】
さらにまた、靴上部分２の、その領域においても０．５ｍｍ〜１．５ｍｍとすることができる厚さｄが示される。ここで、単層の材料、例えば皮革が好ましく、該材料上に、その部位において射出成形によって直接的に隆起構造が施される。
【符号の説明】
【００４２】
１  靴
２  靴上部分
３  靴底
４  外面
５  内面
６  隆起構造
７  隆起部
８  被覆剤
９  間隙
１０  舌革
Ｅ  拡張部
Ｈ  隆起部の高さ
ｈ  被覆剤の高さ
ｂ  隆起部の幅
ｔ  間隙の幅
ｄ  靴上部分の厚さ
【図１】
2017521127.tif 000003
【図１ａ】
2017521127.tif 000004
【図２】
2017521127.tif 000005
【図３】
2017521127.tif 000006
【国際調査報告】
2017521127.tif 000007
2017521127.tif 000008
2017521127.tif 000009
2017521127.tif 000010